(57)【要約】【課題】写真集をオンデマンド製本できるプリント貼合せ装置および自動製本装置の提供、画像形成装置。【解決手段】長尺帯状の印画紙を一定方向に搬送しつつ露光する露光部と，前記露光部において露光された印画紙を、前記露光部における搬送方向と同方向に搬送しつつ現像して画像を形成する現像部と、前記現像部で現像された印画紙を乾燥して各画像毎に裁断してプリントを作成する乾燥裁断部とを有し、一方の面に画像が形成された枚葉状のプリントを作成する画像形成装置に接続可能であって、前記画像形成装置で形成されたプリントを裏面で貼り合わせて両面プリントを作成するプリント貼合せ手段を有するプリント貼合せ装置、前記プリント貼合せ装置を有する自動製本装置、画像形成装置。【選択図】        図１
2004323164.tif 000002
【特許請求の範囲】
【請求項１】
画像形成装置から排出された写真プリントを順に振り分ける振分け手段と、
前記振分け手段で振り分けられた２枚の写真プリントの裏面を向かい合わせ、縁部を揃えて貼り合わせる貼合せ手段とを
備えてなることを特徴とするプリント貼合せ装置。
【請求項２】
前記貼合せ手段は、
振り分けられた２枚の写真プリントを、裏面が向き合うように搬送するプリント搬送手段と、
前記写真プリントを搬送しながら裏面に糊付する糊付手段と、
前記プリント搬送手段でそれぞれ搬送された２枚の写真プリントの端縁を突き当てて貼り合わせる貼合せ手段と、
前記貼合せ手段に突き当てられた２枚の写真プリントの側縁部を揃える側縁揃え手段とを
有することを特徴とする請求項１に記載のプリント貼合せ装置。
【請求項３】
前記振分け手段は、前記写真プリントを、前記画像形成装置からの排出方向に対して左右に振り分け、
前記プリント搬送手段は、前記振分け手段で振り分けられた２枚のプリントを、裏面が向かい合うように立てた状態で搬送する直立搬送ベルトであり、
前記貼合せ手段は、前記直立搬送ベルトで搬送された２枚の写真プリントの端縁が突き当てられるとともに、前記２枚の写真プリントを挟持搬送して貼り合わせる貼合せローラである
請求項２に記載のプリント貼合せ装置。
【請求項４】
請求項１〜３の何れか１項に記載のプリント貼合せ装置と、
前記プリント貼合せ装置で写真プリントを貼り合わせて作成された両面写真プリントを、１辺を揃えた状態で集積する写真プリント集積部と、
前記写真プリント集積部で集積された両面写真プリントの束の３辺を揃える辺揃え手段と、
前記辺揃え手段で３辺を揃えた両面写真プリントの束の背を綴じる帯つけ手段とを
備えてなることを特徴とする自動製本装置。
【請求項５】
請求項１〜３の何れか１項に記載のプリント貼合せ装置、または請求項４に記載の自動製本装置の備えるプリント貼合せ装置の振分け手段に写真プリントを排出する画像形成装置であって、
水洗処理後の写真プリントを乾燥する乾燥処理部の温度を、感光材料の種類、サイズ、および周囲環境に基いて、前記写真プリントがカールしない温度に調整することを特徴とする画像形成装置。
【発明の詳細な説明】
【０００１】
【発明の属する技術分野】
本発明は、プリント貼合せ装置、自動製本装置、および画像形成装置に関し、特に、記念アルバムなどの各種写真集のオンデマンド製本を可能にするプリント貼合せ装置、自動製本装置、および前記プリント貼合せ装置に写真プリントを供給するのに好適に使用される画像形成装置に関する。
【０００２】
【従来の技術】
近年、現像所においては、ネガフィルムに形成されたネガ画像だけでなく、デジタルカメラで撮影した画像を印画紙に焼き付けることが広く行われている。さらに、このようにして作成されたプリントから直接に写真集を作成したいとの要望が高まっている。
【０００３】
近年、電子写真式の複写機やプリンタに製本機を結合した自動製本システムがオンデマンド製本に使用されるようになってきた（特許文献１、２）。
【０００４】
前記自動製本システムにおいては、複写機やプリンタにおいて用紙に画像を形成し、前記画像を形成した用紙を前記製本機で糊付けして製本する。
【０００５】
【特許文献１】
特開２００１−３３４７７１号公報
【特許文献２】
特開２００２−４６９３２号公報
【０００６】
【発明が解決しようとする課題】
しかしながら、前記製本システムを用いて写真集を作成しようとすると、印画紙に画像を焼き付けたオリジナルのプリントを前記製本システムの複写機で所定の用紙に複写する必要があった。
【０００７】
また、電子写真式の複写機やプリンタは、銀塩写真に比較して感度が低い上に、色彩の鮮やかさや再現性、画質の細かさにおいて劣るから、前記プリントを電子写真式の複写機でコピーした画像は、オリジナルのものに比べ、画質がどうしても劣る。
【０００８】
したがって、前記製本システムを使用して写真集を作成しようとしても、作成に手間がかかる割には、満足の行く画質のものが得られないという問題があった。
【０００９】
このように、従来は、オンデマンド製本で、画質の良好な写真集を作成することは殆ど不可能であった。
【００１０】
本発明は、上記問題を解決すべく成されたものであり、印画紙に画像を焼き付けたプリントから写真集をオンデマンド製本で容易に作成できるプリント貼合せ装置および自動製本装置、ならびに前記自動製本装置に好適に使用される画像形成装置を提供することを目的とする。
【００１１】
【課題を解決するための手段】
請求項１に記載の発明は、画像形成装置から排出された写真プリントを順に振り分ける振分け手段と、前記振分け手段で振り分けられた２枚の写真プリントの裏面を向かい合わせ、縁部を揃えて貼り合わせる貼合せ手段とを備えてなることを特徴とするプリント貼合せ装置に関する。
【００１２】
前記プリント貼合せ装置においては、画像形成装置で作成された写真プリントを順に振り分け、裏面を向かい合わせて自動的に貼り合わせ、両面写真シートに加工する。
【００１３】
このようにして得られた両面写真シートは、後述する自動製本装置における製本手段において製本して写真集に加工することができる。
【００１４】
また、前記両面写真シートは、製本する代わりに各種カードや葉書、名刺等として利用できる。この場合、一方のプリントには、たとえば文字や絵を焼き付けたり、印刷したりしたものを使用できる。
【００１５】
前記画像形成装置においては、ネガフィルムに形成されたネガ画像を直接印画紙に焼き付けてもよいが、前記ネガ画像をスキャナーで読み取ってデジタル変換して画像データを作成し、この画像データに基づいて赤色、緑色、および青色の３色のレーザ光で、前記搬送方向に対して直角な方向に走査して露光を行うことが好ましい。なお、前記露光部において露光に使用できる画像データは、前記ネガ画像をデジタル変換したものの他、各種印刷物をスキャナーで読みこんで得られた画像データ、デジタルカメラによる撮影で得られた画像データ、およびインターネットを通して送付された画像データなども含まれる。
【００１６】
請求項２に記載の発明は、前記貼合せ手段が、振り分けられた２枚の写真プリントを、裏面が向き合うように搬送するプリント搬送手段と、前記写真プリントを搬送しながら裏面に糊付する糊付手段と、前記プリント搬送手段でそれぞれ搬送された２枚の写真プリントの端縁を突き当てて貼り合わせる貼合せ手段と、前記貼合せ手段に突き当てられた２枚の写真プリントの側縁部を揃える側縁揃え手段とを有することを特徴とするプリント貼合せ装置に関する。
【００１７】
前記プリント貼合せ装置においては、画像形成装置から排出された写真プリントは、振分け手段で順に振り分けられ、前記プリント搬送手段において裏面が互いに相対向するように保持されて搬送される。そして、前記２枚の写真プリントの一方または両方の裏面に糊付手段で糊が塗布されるか、または両面粘着テープが貼付される。そして、前記２枚の写真プリントは、側縁揃え手段で側縁が揃えられた状態で、前記貼合せ手段において端縁が突き当てられて揃えられ、次いで貼り合わされる。これにより、両面写真シートが形成される。
【００１８】
したがって、前記プリント貼合せ装置によれば、画像形成装置で写真プリントを作成してから、２枚の写真プリントを貼り合わせて両面写真シートを作成するまでが連続した一貫工程で行われ、しかも端縁および側縁が揃った両面シートが作成できる。ここで、端縁は、前記画像形成装置からの排出方向に対して直角な縁部のうち、下流側の縁部をいい、側縁は、前記端縁に対して直角な方向の縁部をいう。
【００１９】
請求項３に記載の発明は、前記振分け手段が、前記写真プリントを、前記画像形成装置からの排出方向に対して左右に振り分け、前記プリント搬送手段は、前記振分け手段で振り分けられた２枚のプリントを、裏面が向かい合うように立てた状態で搬送する直立搬送ベルトであり、前記貼合せ手段は、前記直立搬送ベルトで搬送された２枚の写真プリントの端縁が突き当てられるとともに、前記２枚の写真プリントを挟持搬送して貼り合わせる貼合せローラであるプリント貼合せ装置に関する。
【００２０】
前記プリント貼合せ装置においては、画像形成装置から排出された写真プリントを振分け手段において左右に振り分け、左右に振り分けたプリントを、直立搬送ベルトによって裏面が向かい合うように立てた状態で搬送する。そして、貼合せローラにおいて端縁が突き当てられて揃えられて糊付けされる。
【００２１】
したがって、前記プリント貼合せ装置は、写真プリントの流れに無理が無いから故障が生じ難い。
【００２２】
請求項４に記載の発明は、請求項１〜３の何れか１項に記載のプリント貼合せ装置と、前記プリント貼合せ装置で写真プリントを貼り合わせて作成された両面写真プリントを、１辺を揃えた状態で集積する写真プリント集積部と、前記写真プリント集積部で集積された両面写真プリントの束の３辺を揃える辺揃え手段と、前記辺揃え手段で３辺を揃えた両面写真プリントの束の背を綴じる帯つけ手段とを備えてなることを特徴とする自動製本装置に関する。
【００２３】
前記自動製本装置においては、プリント貼合せ装置で写真プリントを貼り合わせて作成された両面写真プリントは、前記集積部において１辺を揃えた状態で集積される。そして、前記辺揃え手段において前記両面写真プリントの束の３辺が揃えられる。
【００２４】
前記辺揃え手段としては、前記束に機械的な衝撃を規則的に与えて前記束を構成する両面写真プリントの端縁および側縁を揃える辺揃え装置のほかに、前記３辺の耳部を裁断して揃える裁断手段がある。
【００２５】
前記自動製本装置によれば、印画紙を露光・現像して乾燥・裁断し、写真プリントを形成する工程から、前記プリントを貼り合わせて両面シートに加工し、この両面シートを集積し、製本して写真集を作成するまでが一貫した工程で行われるから、画質に優れた写真集をオンデマンド製本で容易に作成できる。
【００２６】
前記辺揃え部においては、裁断カッタ状の裁断機で前記シート集積体の３辺または４辺を順次裁断して前記シート集積体を所定の長方形状または正方形状に整えることができる。また、長方形状または正方形状の開口部が中央部に形成された板状の上刃と、前記開口部に丁度嵌る形状の下刃とを有する裁断機によって、前記３辺を１度に裁断して前記シート集積体の形状を整えてもよい。
【００２７】
前記帯つけ手段においては、通常の製本に使用される背閉じ方法であれば、どのような方法でも使用できる。具体的には、前記帯つけ手段が、前記辺揃え手段で残辺を揃えた両面シートの集積体の背に帯を貼り付けて前記背閉じを行うことができる。
【００２８】
請求項５に記載の発明は、請求項１〜３の何れか１項に記載のプリント貼合せ装置、または請求項４に記載の自動製本装置の備えるプリント貼合せ装置の振分け手段に写真プリントを排出する画像形成装置であって、水洗処理後の写真プリントを乾燥する乾燥処理部の温度を、感光材料の種類、サイズ、および周囲環境に基いて、前記写真プリントがカールしない温度に調整することを特徴とする画像形成装置に関する。
【００２９】
プリントに大きな樋状の反りが生じると、前記プリント貼合せ手段においてプリントを貼り合わせるのが困難になる場合があるが、前記プリント貼合せ装置においては、前記反りの殆どないプリントを貼合せているから、プリントの貼合せが困難になる問題が生じることはない。
【００３０】
ここで、「樋状の反りが殆どない」とは、前記プリント貼合せ手段においてプリント同士を貼り合わせるのに支障になるほどの大きな反りが生じないことを意味するものであり、プリントに若干の反りが生じる場合をも除外する意味ではない。
【００３１】
前記「周囲環境」には、たとえば周囲の温度および湿度などが包含される。
【００３２】
【発明の実施の形態】
１．実施形態１
本発明に係る自動製本装置および画像形成装置の組合せの一例である自動製本システム１００につき、構成の概略を図１〜図３に示す。
【００３３】
図１〜図３に示すように、実施形態１に係る自動製本システム１００は、一方の面に画像が形成された枚葉状の写真プリントを作成し、前記写真プリントの画像面が上方を向くように送り出す画像形成装置２と、画像形成装置２で作成した写真プリントを貼り合わせて集積するプリント貼合せ部４と、プリント貼合せ部４で貼り合わせて集積したプリントを製本する製本部６とを備えている。プリント貼合せ部４と製本部６とは自動製本装置３を構成する。前記自動製本装置３におけるプリント貼合せ部４と製本部６とは、それぞれ本発明に係る自動製本装置におけるプリント貼合せ装置、および写真プリント集積部と辺揃え手段と帯つけ手段とに相当する。
【００３４】
画像形成装置２は、図１に示すように、印画紙Ｐをロール状に巻回された状態で収納したマガジンＭａおよびマガジンＭｂが装着されるマガジン装着部２２Ａおよび２２Ｂと、マガジンＭａおよびＭｂから巻き出され、矢印ａの方向に搬送される印画紙Ｐを露光する露光部２４と、露光部２４で露光された印画紙を現像する現像部２６と、現像部２６で現像された印画紙Ｐを乾燥し、画像毎に裁断する乾燥裁断部２８とを有する。
【００３５】
露光部２４は、画像処理装置（図示せず。）から入力されたデジタル画像データに基き、赤色、緑色、および青色の３色のレーザ光によって搬送方向ａに対して直角な方向に沿って走査し、印画紙に潜像を形成する。露光部２４に入力することのできるデジタル画像データについては、［課題を解決するための手段］の請求項１についての説明のところで述べた通りである。
【００３６】
現像部２６は、露光部２４で露光された印画紙Ｐを発色現像処理する現像槽２６Ａと、現像槽２６Ａで発色現像処理された印画紙Ｐを漂白・定着処理する漂白定着槽２６Ｂと、漂白定着槽２６Ｂで漂白・定着処理された印画紙Ｐを水洗処理する水洗槽２６Ｃとを備える。
【００３７】
乾燥裁断部２８は、現像部２６における水洗槽２６Ｃで水洗処理された印画紙Ｐを乾燥する乾燥ヒータ２８Ａと、乾燥ヒータ２８Ａで乾燥された印画紙Ｐを画像毎に裁断して枚葉状のプリントとする裁断機２８Ｂとを備えている。
【００３８】
印画紙Ｐは、感光乳剤を塗布した側の感光面が外側になるように巻回されてマガジンＭａおよびマガジンＭｂに収容されている。
【００３９】
マガジンＭａまたはマガジンＭｂから巻き出された印画紙は、図１に示すように、感光面が外側になるように搬送されて露光部２４に至る。
【００４０】
露光部２４においては、レーザ光は、印画紙Ｐの感光面を走査する。これによって、印画紙Ｐの感光面には潜像が形成される。
【００４１】
現像部２６における現像槽２６Ａ、漂白定着槽２６Ｂ、および水洗槽２６Ｃにおいては、印画紙Ｐは、感光面が内側に位置するように搬送され、乾燥裁断部２８においては、印画紙Ｐの搬送経路の下方に位置する乾燥ヒータ２８Ａに、印画紙Ｐの感光面が上方から相対するように搬送される。乾燥ヒータ２８Ａは、感光材料の種類、サイズ、および周囲の環境温湿度に基いて前記印画紙Ｐがカールしない温度に調節される。かかる乾燥温度の調節は、乾燥ヒータ２８Ａを流れる電流のデユーティ比を制御することにより、行うことができる。乾燥ヒータ２８Ａの近傍を通過した印画紙Ｐは、上方に転回されて裁断機２８Ｂに送られる。したがって、画像形成装置２において作成されたプリントは、図１および図２に示すように画像が上方を向いた状態でプリント貼合せ部４に送り出される。
【００４２】
プリント貼合せ部４は、図１〜図３に示すように、画像形成装置２で作成されたプリントを、図２において矢印ｂで示すように、水平面内において画像形成装置２における搬送方向ａに対して直角な方向に沿って交互に振り分けるプリント振分け部４０と、プリント振分け部４０で振り分けられたプリントを、画像が形成された側とは反対側の裏面で貼り合わせる貼合せローラ４２と、プリント振分け部４０で振り分けられたプリントの一方の裏面に糊を塗布しつつ、貼合せローラ４２に送る糊付搬送部４４と、プリント振分け部４０で振り分けられたプリントの他方を貼合せローラ４２に送るプリント搬送部４６と、貼合せローラ４２でプリントの裏面同士が貼り合わされた両面シートを集積する集積台４８とを備える。プリント振分け部４０、貼合せローラ４２、糊付搬送部４４、集積台４８は、本発明のプリント貼合せ装置の備える振分け手段、貼合せ手段、糊付手段、および本発明の自動製本装置の備える写真プリント集積部にそれぞれ相当する。
【００４３】
プリント振分け部４０は、図２において矢印ｂで示すように、画像形成装置２で作成されたプリントを、左右方向に、換言すれば印画紙Ｐの搬送方向ａに対して直角な方向に水平に振り分ける水平コンベア４０Ａと、画像形成装置２で作成されたプリントを水平コンベア４０Ａに向かって送出する１対の送出しローラ４０Ｂと、水平コンベア４０Ａで搬送方向ａに対して左方向に振り分けられたプリントを糊付搬送部４４に送出する垂直コンベア４０Ｃと、水平コンベア４０Ａで搬送方向ａに対して右方向に振り分けられたプリントをプリント搬送部４６に送出する垂直コンベア４０Ｄとを備えている。
【００４４】
水平コンベア４０Ａは、プリントを搬送するベルト面が水平になるように、矢印ｂの方向に対して平行に配設されたベルトコンベアである。そして、あるプリントを搬送方向ａに対して右方向に搬送したら、次のプリントは、搬送方向ａに対して左方向に搬送するというように、プリントを交互に搬送する機能を有している。
【００４５】
送出しローラ４０Ｂは、水平方向に沿って水平コンベア４０Ａに対して平行に配設された１対のローラからなり、画像形成装置２で作成された枚葉状のプリントを水平コンベア４０Ａに載置する機能を有する。
【００４６】
垂直コンベア４０Ｃおよび垂直コンベア４０Ｄは、何れも、プリントを搬送するベルト面が垂直になるように配設され、前記ベルト面においてプリントを吸着して保持する吸着コンベアである。
【００４７】
水平コンベア４０Ａの垂直コンベア４０Ｃ側の端部には、水平コンベア４０Ａ上を垂直コンベア４０Ｃに向かって搬送されたプリントを垂直コンベア４０Ｃに案内する案内ローラ４０Ｅが設けられている。同様に、水平コンベア４０Ａの垂直コンベア４０Ｄ側の端部には、水平コンベア４０Ａ上を垂直コンベア４０Ｄに向かって搬送されたプリントを垂直コンベア４０Ｄに案内する案内ローラ４０Ｆが設けられている。
【００４８】
糊付搬送部４４は、垂直方向に配設され、プリントの裏面に糊を塗布する糊付ローラ４４Ａと、糊付ローラ４４Ａにプリントを押圧しつつ、糊付ローラ４４Ａと協働して貼合せローラ４２に向かってプリントを搬送する押圧搬送ローラ４４Ｂと、押圧搬送ローラ４４Ｂと貼合せローラ４２との間に設けられ、プリントを貼合せローラ４２に誘導する誘導板４４Ｃとを備える。
【００４９】
誘導板４４Ｃの下方には、プリント搬送部４６で搬送された写真プリントと糊付搬送部４４で搬送された写真プリントとの側縁部を揃える側縁揃え板４１が設けられている。側縁揃え板４１は、本発明のプリント貼合せ装置における側縁揃え手段に相当する。
【００５０】
プリント搬送部４６は、プリントを搬送するベルト面が垂直になるように配設され、垂直コンベア４０Ｄから貼合せローラ４２に向かってプリントを搬送する主コンベア４６Ａと、主コンベア４６Ａに沿って配設された副コンベア４６Ｂとを備える。
【００５１】
集積台４８は、図１〜図３に示すように、プリント貼合せ部４で作成された両面シートを集積するときに、前記両面シートの下辺を受ける両面シート受け面４８Ａと、前記両面シートの画像面を受ける両面シート集積面４８Ｂとを有し、Ｊ字型乃至逆Ｌ字型の断面を有している。
【００５２】
集積台４８は、図３において矢印ｃで示すように、プリント貼合せ部４で作成された両面シートを集積するときは、両面シート受け面４８Ａが略水平になり、両面シート集積面４８Ｂが略垂直になるように保持される。そして、集積面４８Ａに載置された両面シートを製本部６において製本するときは、上縁を中心に略９０°回転し、両面シート集積面４８Ｂが上方に位置し、しかも水平になるように保持される。
【００５３】
図４〜図１３に、プリント貼合せ部４の動作手順を示す。
【００５４】
画像形成装置２で作成された１枚目の写真プリントＰｒ１は、図４に示すように送出しローラ４０Ｂによって画像が上方を向くように水平コンベア４０Ａに送り出される。
【００５５】
水平コンベア４０Ａに送り出された写真プリントＰｒ１は、図５に示すように、画像が上方を向いた状態で垂直コンベア４０Ｄに向かって送り出され、案内ローラ４０Ｆで垂直コンベア４０Ｄに向かって案内される。そして、図６に示すように、垂直コンベア４０Ｄのコンベア面に画像が形成された側の面が当接するように、垂直コンベア４０Ｄに吸着され、保持される。
【００５６】
垂直コンベア４０Ｄのコンベア面に保持された写真プリントＰｒ１は、図７に示すように垂直コンベア４０Ｄ上をプリント搬送部４６に向かって搬送される。そして、プリント搬送部４６においては、画像が主コンベア４６Ａの側を向くように主コンベア４６Ａと副コンベア４６Ｂとの間に保持され、貼合せローラ４２に向かって搬送される。
【００５７】
画像形成装置２で作成された２枚目の写真プリントＰｒ２もまた、１枚目の写真プリントＰｒ１と同様に、送出しローラ４０Ｂによって画像が上方を向くように水平コンベア４０Ａに送り出される。
【００５８】
水平コンベア４０Ａに送り出された写真プリントＰｒ２は、図８に示すように、画像が上方を向いた状態で垂直コンベア４０Ｃに向かって送り出され、案内ローラ４０Ｅで垂直コンベア４０Ｃに向かって案内される。そして、図９に示すように、垂直コンベア４０Ｃのコンベア面に画像が形成された側の面が当接するように、垂直コンベア４０Ｃに吸着され、保持される。そして、写真プリントＰｒ２は、図１０に示すように垂直コンベア４０Ｃによって貼合せローラ４２に向かって搬送される。Ｐｒ２は、途中で糊付ローラ４４Ａと押圧搬送ローラ４４Ｂとの間を通過するときに、糊付ローラ４４Ａによって裏面、即ち画像が形成された側とは反対側の面に糊が付着される。なお、写真プリントＰｒ２は、図１１に示すように、貼合せローラ４２において１枚目の写真プリントＰｒ１と突き合わされて端縁が揃えられ、側縁揃え板４１で側縁が揃えられる。そして、図１２に示すように、写真プリントＰｒ１と写真プリントＰｒ２とは、貼合せローラ４２において裏面同士で貼り合わされて両面シートＰｒＷが作成される。作成された両面シートＰｒＷは集積台４８に送出されて集積される。
【００５９】
製本部６は、図３に示すように、裁断部６２と、帯付け部６４と、製本集積部６６と、搬送コンベア６８とを備える。
【００６０】
裁断部６２は、集積台４８の両面シート集積面４８Ｂが水平になるように回動したときに、両面シート集積面４８Ｂの上方に位置するように設けられている。そして、両面シート集積面４８Ｂに載置された両面シート集積体を上方から押圧する押圧板６２Ａと、両面シート集積面４８Ｂに載置された両面シート集積体における両面シート受け面４８Ａで揃えた１端面以外の３つの端面を切り揃える裁断カッタ６２Ｂとを備える。
【００６１】
帯付け部６４は、裁断部６２で３辺が切り揃えられ、搬送コンベア６８で搬送されてきた両面シート集積体の１つの端面に帯を糊付して製本する機能を有する。
【００６２】
以下、製本部６の動作手順について、図１３〜図１６を用いて説明する。
【００６３】
シート貼合せ部４で作成された両面シートＰｒＷが集積台４８に集積され終わると、図１３に示すように集積台４８は上方に略９０°転回して裁断部６２のすぐ下方に位置する。
【００６４】
集積台４８が上方に略９０°転回すると、図１４に示すように、裁断部６２においては押圧板６２Ａが降下し、両面シートＰｒＷの集積体を、裁断カッタ６２Ｂで裁断したときにずれないように上方から押圧する。対で、裁断カッタ６２Ｂが降下して両面シートＰｒＷの集積体の集積台４８に接していない３面を垂直方向に沿って裁断して整える。
【００６５】
裁断部６２で裁断されて形が整えられた集積体は、図１５に示すように、搬送コンベア６８によって帯付け部６４に向かって搬送される。そして、図１６に示すように帯付け部６４で帯付けされて製本され、製本集積部６６に排出される。
【００６６】
実施形態１の自動製本システム１００によれば、画像形成装置２で印画紙に焼き付けられたプリントから直接に記念アルバムなどの写真集を作成できる。
【００６７】
また、画像形成装置２において作成されたプリントは、プリント貼合せ部４において、下縁即ちプリントの側縁を基準にして貼り合わされ、作成された両面シートは、下縁が揃えられた状態で集積台４８に集積される。したがって、裁断部６２においては、両面シートの集積体の形状を整えるのに、集積台４８に当接していない３面を裁断すればよい。
【００６８】
さらに、プリント貼合せ部４においては、糊付ローラ４４Ａによってプリントの裏面の全面に糊が塗布されるから、２枚のプリントは、裏面の全面で互いに貼り合わされる。したがって、前記プリント同士の貼合せは強固であり、作成された両面シートが、プリントの裏面における糊付された部分と糊付されていない部分との収縮度の差によって製本後に歪んだり、糊付した部分が剥れて２枚のプリントが分離したりすることがない。
【００６９】
【発明の効果】
以上説明したように、本発明によれば、記念アルバムのような高い画質を要求される写真集をオンデマンド製本で容易に作成できるプリント貼合せ装置、自動製本装置、および前記プリント貼合せ装置に写真プリントを供給するのに好適に使用される画像形成装置が提供される。
【図面の簡単な説明】
【図１】図１は、実施形態１に係る自動製本システムの構成の概略を示す側面図である。
【図２】図２は、実施形態１に係る自動製本装置の構成の概略を示す平面図である。
【図３】図３は、実施形態１に係る自動製本装置の構成の概略を示す正面図である。
【図４】図４は、実施形態１に係る自動製本装置の備えるプリント貼合せ部に１枚目のプリントが導入されたときの前記プリント貼合せ部の動作手順を示す平面図である。
【図５】図５は、実施形態１に係る自動製本装置の備えるプリント貼合せ部に１枚目のプリントが導入されたときの前記プリント貼合せ部の動作手順を示す平面図である。
【図６】図６は、実施形態１に係る自動製本装置の備えるプリント貼合せ部に１枚目のプリントが導入されたときの前記プリント貼合せ部の動作手順を示す平面図である。
【図７】図７は、実施形態１に係る自動製本装置の備えるプリント貼合せ部に１枚目のプリントが導入されたときの前記プリント貼合せ部の動作手順を示す平面図である。
【図８】図８は、実施形態１に係る自動製本装置の備えるプリント貼合せ部に２枚目のプリントが導入されたときの前記プリント貼合せ部の動作手順を示す平面図である。
【図９】図９は、実施形態１に係る自動製本装置の備えるプリント貼合せ部に２枚目のプリントが導入されたときの前記プリント貼合せ部の動作手順を示す平面図である。
【図１０】図１０は、実施形態１に係る自動製本装置の備えるプリント貼合せ部に２枚目のプリントが導入されたときの前記プリント貼合せ部の動作手順を示す平面図である。
【図１１】図１１は、実施形態１に係る自動製本装置の備えるプリント貼合せ部において、１枚目のプリントと２枚目のプリントとがつき合わせ状態になって貼合せローラに導入されるところを示す平面図である。
【図１２】図１２は、実施形態１に係る自動製本装置の備えるプリント貼合せ部において、１枚目のプリントと２枚目のプリントとが貼合せローラで貼り合わされて両面シートが作成され、集積台に導出されるところを示す平面図である。
【図１３】図１３は、集積台に集積された両面シート集積体が、前記自動製本装置における製本部に導入されたときの、前記製本部の動作手順を示す正面図である。
【図１４】図１４は、前記集積台に集積された両面シート集積体が、前記製本部における裁断部で裁断され、３つの端面が整えられているところを示す正面図である。
【図１５】図１５は、前記裁断部で裁断されて形状の整えられた両面シートの集積体が帯付け部に搬送されているところを示す正面図である。
【図１６】図１６は、前記帯付部において、前記両面シート集積体の背の部分に帯を接着して製本し、作成された写真集を前記製本部における製本集積部に集積しているところを示す正面図である。
【符号の説明】
２        画像形成装置
３        自動製本装置
４        プリント貼合せ部
６        製本部
２４        露光部
２６        現像部
２８        乾燥裁断部
４０        プリント振分け部
４２        貼合せローラ
４４        糊付搬送部
４６        プリント搬送部
４８        集積台
【図１】
2004323164.tif 000003
【図２】
2004323164.tif 000004
【図３】
2004323164.tif 000005
【図４】
2004323164.tif 000006
【図５】
2004323164.tif 000007
【図６】
2004323164.tif 000008
【図７】
2004323164.tif 000009
【図８】
2004323164.tif 000010
【図９】
2004323164.tif 000011
【図１０】
2004323164.tif 000012
【図１１】
2004323164.tif 000013
【図１２】
2004323164.tif 000014
【図１３】
2004323164.tif 000015
【図１４】
2004323164.tif 000016
【図１５】
2004323164.tif 000017
【図１６】
2004323164.tif 000018